【事件の表示】
　特願２０１４−５３８８３５「圧平圧力計および眼の眼内圧の測定方法」拒絶査定不服審判事件〔平成２５年　５月　２日国際公開、ＷＯ２０１３／０６２８０７、平成２６年１２月　８日国内公表、特表２０１４−５３２４７１、請求項の数（９）〕について、次のとおり審決する。
【結　論】
　原査定を取り消す。
　本願の発明は、特許すべきものとする。
【理　由】
第１　手続の経緯
　本願は、２０１２年（平成２４年）１０月１６日（パリ条約による優先権主張外国庁受理　２０１１年１０月２８日、米国）を国際出願日とする出願であって、平成２８年７月１日付けで拒絶理由通知がされ、同年９月３０日付けで手続補正がされ、平成２９年２月１４日付けで拒絶査定（原査定）がされ、これに対し、同年６月１４日に拒絶査定不服審判の請求がされると同時に手続補正がされたものである。
第２　原査定の概要
　原査定の概要は次のとおりである。
　この出願の請求項１〜９に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　引用文献１：中国特許出願公開第１１５８２３９号明細書
　引用文献２：特開平３−１３６６３４号公報
　引用文献３：特表２００５−５０００９２号公報
　要すれば、独立項である請求項１に係る発明について、引用文献１に記載された発明と対比し、両者の相違点である請求項１に係る発明の「光バッフル」についての特定事項、「フォトダイオード」について、前者は引用文献２に記載された事項から、後者は引用文献２に記載された周知技術から、それぞれ当業者が容易になし得たことであるとし、そして、請求項１を引用する請求項２〜９に係る発明について、その引用文献１に記載された発明、並びに、引用文献１〜３に記載された事項及び引用文献２に記載された周知技術に基づいて当業者が容易に発明することができたものであるとしたものである。
第３　審判請求時の補正について
　審判請求時の補正は、特許法第１７条の２第３項から第６項までの要件に違反しているものとはいえない。
　審判請求時の補正によって、補正前の請求項１の「前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの前記リング形状の光学的に透明な領域を円周状に通過して伝送される」ことを、「前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの前記リング形状の光学的に透明な領域を円周状
かつ３６０°全体にわたり
　そして、「第４　本願発明」から「第６　対比・判断」までに示すように、補正後の請求項１〜９に係る発明は、独立特許要件を満たすものである。
第４　本願発明
　本願請求項１〜９に係る発明は、審判請求時の手続補正で補正された特許請求の範囲の請求項１〜９に記載された事項により特定される発明であり、そのうち、独立項である請求項１に係る発明（以下「本願発明」という。）は以下のとおりの発明である。
「【請求項１】
　眼の眼内圧を測定するための圧平圧力計であって、前記圧平圧力計は、
　光を生成する光源と、
　前記光源によって生成された光を受ける光伝送体とを備え、前記光伝送体は接触チップを有し、前記接触チップを移動させて眼の角膜と接触させて圧力を角膜に加えると、前記光源から生成された光は、前記光伝送体を通して内向きに第１の方向に前記光伝送体の接触チップに向かって伝送され、前記第１の方向に伝送される光の一部は分離されて前記光伝送体から前記接触チップを通って逃げ、内向きに伝送される光のうち、分離されず前記光伝送体から逃げない残余の光は、前記接触チップによって反射され前記光伝送体を通して外向きに第２の方向に伝送され、
　前記光源と前記光伝送体の間に位置する光バッフルを備え、前記光バッフルは、光学的に不透明な内部領域と、前記光学的に不透明な内部領域から間隔を隔てて位置し、かつ前記光学的に不透明な内部領域を囲む光学的に不透明な外縁と、前記光学的に不透明な内部領域を囲むために前記光学的に不透明な内部領域から前記光学的に不透明な外縁へと延在する、リング形状の光学的に透明な領域とを有し、前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの前記リング形状の光学的に透明な領域を円周状かつ３６０°全体にわたり通過して伝送されるように、前記光バッフルが配置され、
　前記接触チップによって反射され前記光バッフルの前記リング形状の光学的に透明な領域を通して前記第２の方向に伝送される光の強度に応答して出力信号を与えるフォトダイオードを備え、前記フォトダイオードの出力信号は、前記光伝送体の接触チップと前記眼の角膜が接触する面積に応じて決まり、
　前記光伝送体の接触チップを移動させて前記眼の角膜と接触させた後に接触領域で生成された圧力に応答して出力信号を与える力検出器と、
　前記フォトダイオードおよび前記力検出器によって与えられた前記出力信号を受け前記出力信号に応じて前記眼の眼内圧の測定値を与える信号処理器とを備える、圧平圧力計。」
第５　引用文献、引用発明等
１　引用文献１について
（１）原査定の拒絶の理由に引用された、本願の優先日前に頒布された刊行物である引用文献１には、図面とともに次の事項が記載されている。なお、当審訳の下線は、下記（２）の引用発明の認定に関する部分として当審が付与した。
（１ア）
（当審訳：特許請求の範囲
１．
眼内圧を測定するためのスマート小型圧平式眼圧計であって，光源（１）とプローブ（４）の光路，センサ及びマイクロプロセッサ回路等で構成され
光源（１）の真下にコリメーションシステム（２）のレンズがあり，レンズの真下に水平面と４５°の角度をなす分光板（３）があり，分光板（３）の真下に透明な光学プローブ（４）があり，分光板（３）の同一水平面上の右辺に集光器（６）があり，集光器（６）のレンズは分光板（３）が反射する光を集束し、センサ（９）の感光孔に投射する；コリメーションシステム（２）、分光板（３）、集光器（６）及びセンサ（９）の感光孔はいずれも六面体構造の遮光部（２３）内にパッケージングされ，遮光部（２３）の上下の相対する２つの面に，２つの孔（２４，２５）が相対して開設され，その直径はプローブ（４）上部の円柱の直径より僅かに大きく，遮光部（２３）の右側面に１つの孔（２６）が開設され，センサ（９）の感光孔は遮光部（２３）内に収められる
（１イ）
（明細書１頁２０〜２６行）
（当審訳：上記目的を達成するための，本発明の解決手段は以下のとおりである：より合理的で，シンプルな光路を設計することにより，染色薬を一切使用せずに，圧平される角膜の面積を正確に測定することができる；平滑度の高いプローブを作製することにより，角膜の損傷を極力小さくするか又は損傷を受けないようにする；専用の位置特定ポインタを設計することより，測定時に正確に位置を特定することや，人と装置が協働することや、操作を簡単にすることを実現する；プローブ自重の圧力を利用し，可動二重ロッド機構を採用することにより，圧力伝達を実現し，無作為性の摩擦力が加圧値に与える影響を完全に除去する。マイコン制御技術を用いることによって，真の意味での迅速な測定と圧力の瞬間検出を実現する。
装置全体を一体化したコンパクト構造で設計することにより，携帯しやすくなり，
コストを低く抑えることができ
（１ウ）
（明細書３頁３行〜４頁１０行）
（当審訳：本発明の動作プロセスは図１に示すとおりであり，小型の白熱
光源（１）から発せられる光が，コリメーションシステム（２）のレンズを通過することで，平行で均一なビームとなり
ビームの一部はプローブ（４）底面に直接照射されるビームであり，プローブ（４）を貫通し，位置特定ポインタ（１２）となり，角膜の中心の位置を特定し、また測定対象の眼の視線を集中させるために用いられ，それによって、眼軸と主光軸を一致させ，且つプローブ（４）の底面と垂直になるようにすることができる；ビームの他の部分はプローブ（４）下部の円錐台の側面に照射されるビームであり，一側の表面で全反射され，プローブ（４）下底面に照射され，底面での第二の反射で相対する他側の表面に照射され，他側の表面でさらに全反射され，再び分光板（３）に照射され，この分光板（３）に再び戻ってきたビームは，５０％が分光板（３）によって集光器（６）に反射され，集光器（６）のレンズで集光されてから，センサ（９）の感光孔に投射され，光電変換器に収集され，アナログデジタル変換器によって収集されたビームの流束に対応するデジタル信号が形成され，マイクロプロセッサ（１０）に再び送られて演算処理される
　プローブ（４）の底面がいずれの物体とも接触していない時，プローブ（４）下部の円錐台形の側面に照射されるビームは，３回の反射を経てもほぼ全てが分光板（３）に再び戻り，分光板（３）で分光されてから，５０％のビームが集光器（６）を経てセンサ（９）によって収集され，対応するデジタル信号に変換される。
眼圧を測定する時，眼圧計を徐々に下ろし，プローブ（４）の底面の一部を眼球（１５）の角膜に接触させ，且つ眼球（１５）の角膜の所定の面積Ｓを圧平し
プローブ（４）部分の底面で反射するビームのうちの一部が眼球（１５）内部に屈折入射し，それによって、その部分の反射光のビームの流束が大幅に減少し
ビームの流束は、一定の数学的関係に基づいて，角膜の圧平面積Ｓの変化によって規則的に変化する
プローブ（４）自体の重量と眼球（１５）の弾力がバランスを保ち，従って、この時に眼球（１５）にかかる圧力Ｆはプローブ（４）の自重である；センサ（９）は、プローブ（４）が持ち上げられる瞬間の信号をタイムリーに検出して，マイクロプロセッサ（１０）に送信することができ，マイクロプロセッサ（１０）は
ＦとＳのデータを式Ｐ＝Ｆ／Ｓに代入し，測定された眼球（１５）の眼内圧を算出
（１エ）図１として、以下の図面が記載されている。
　上記図面から、遮光部２３は  光源（１）とプローブ（４）の間に位置していることが見て取れる。
（２）引用発明
　したがって、上記引用文献１には次の発明（以下「引用発明」という。）が記載されていると認められる。
「眼内圧を測定するためのスマート小型圧平式眼圧計であって、光源（１）とプローブ（４）の光路、センサ及びマイクロプロセッサ回路等で構成され、光源（１）の真下にコリメーションシステム（２）のレンズがあり、レンズの真下に水平面と４５°の角度をなす分光板（３）があり、分光板（３）の真下に透明な光学プローブ（４）があり、分光板（３）の同一水平面上の右辺に集光器（６）があり、集光器（６）のレンズは分光板（３）が反射する光を集束し、センサ（９）の感光孔に投射し、コリメーションシステム（２）、分光板（３）、集光器（６）及びセンサ（９）の感光孔はいずれも、光源（１）とプローブ（４）の間に位置している六面体構造の遮光部（２３）内にパッケージングされ、遮光部（２３）の上下の相対する２つの面に、２つの孔（２４，２５）が相対して開設され、その直径はプローブ（４）上部の円柱の直径より僅かに大きく、遮光部（２３）の右側面に１つの孔（２６）が開設され、センサ（９）の感光孔は遮光部（２３）内に収められるスマート小型圧平式眼圧計において、
　光源（１）から発せられる光が、コリメーションシステム（２）のレンズを通過することで，平行で均一なビームとなり、
　ビームの一部は、プローブ（４）底面に直接照射されるビームであり、プローブ（４）を貫通し、位置特定ポインタ（１２）となり、角膜の中心の位置を特定し、また測定対象の眼の視線を集中させるために用いられ、それによって、眼軸と主光軸を一致させ、且つプローブ（４）の底面と垂直になるようにすることができ、
　ビームの他の部分は、プローブ（４）下部の円錐台の側面に照射されるビームであり、一側の表面で全反射され、プローブ（４）下底面に照射され、底面での第二の反射で相対する他側の表面に照射され、他側の表面でさらに全反射され、再び分光板（３）に照射され、この分光板（３）に再び戻ってきたビームは、分光板（３）によって集光器（６）に反射され、集光器（６）のレンズで集光されてから、センサ（９）の感光孔に投射され、光電変換器に収集され、アナログデジタル変換器によって収集されたビームの流束に対応するデジタル信号が形成され、マイクロプロセッサ（１０）に再び送られて演算処理されるもので、
　眼圧を測定する時、眼圧計を徐々に下ろし、プローブ（４）の底面の一部を眼球（１５）の角膜に接触させ、且つ眼球（１５）の角膜の所定の面積Ｓを圧平し、プローブ（４）部分の底面で反射するビームのうちの一部が眼球（１５）内部に屈折入射し、それによって、その部分の反射光のビームの流束が大幅に減少し、そのビームの流束は、一定の数学的関係に基づいて、角膜の圧平面積Ｓの変化によって規則的に変化するものであり、
　そして、プローブ（４）自体の重量と眼球（１５）の弾力がバランスを保ち、眼球（１５）にかかる圧力Ｆはプローブ（４）の自重である時、センサ（９）は、プローブ（４）が持ち上げられる瞬間の信号をタイムリーに検出して、マイクロプロセッサ（１０）に送信することができ、
　マイクロプロセッサ（１０）は、ＦとＳのデータを式Ｐ＝Ｆ／Ｓに代入し、測定された眼球（１５）の眼内圧を算出する、スマート小型圧平式眼圧計。」
２　引用文献２について
　原査定の拒絶の理由に引用された、本願の優先日前に頒布された刊行物である引用文献２には、図面とともに次の事項が記載されている。なお、下線は当審において付与した。
（２ア）「［産業上の利用分野］
本発明は目に当てがうことのできる測定本体と、測定本体の圧力および前記圧力による圧平面を自動的に測定して測定量から眼圧を計算する手段とを備えた
圧平形眼圧計
（２イ）「［実施例］
　第１図及び第２図に眼圧計の円筒状函体１を論理的に略示する。この函体は片手で容易に保持できるように設計されている。平坦な測定面３を有する
測定本体２が
ロッド４に固着されている。ロッド４は
所定の力を測定本体に加えるような
リニアモータ５の一部である
（２ウ）「第４図及び第５図は測定本体２の拡大図である。
測定本体はロッド４にねじ込まれたサポート２２上に支持されている
測定本体２の後方凹み２５内には、目１４に対する測定本体の正しい方位を固定するランプの機能を有する発光ダイオード２６が設けられている
（２エ）第１図及び第４図として、以下の図面が記載されている。
３　引用文献３について
　原査定の拒絶の理由に引用された、本願の優先日前に頒布された刊行物である引用文献３には、次の事項が記載されている。
（３ア）「【００３０】
圧力センサ１６は、圧平機１１によって眼に適用される力を測定するために、圧平機１１に作動可能に結合される。好ましい実施形態において、圧力センサ１６は、「座金」または「ドーナツ」の形状の圧電素子を備える。このような構成は、中心軸を通る透明な光軸を提供する。この圧電素子は、所定の適用される力に対して極端に小さいずれを要求するというさらなる利点を有する。軸方向に局在した圧電素子の使用は、適用される実際の力あたりの比較的高い電圧（高い力信号に対応する）を提供し、従って、低い費用、および電子特徴の低い変動性を生じ、これらは、製造プロセスを単純にする。圧電デバイスが使用される場合、この圧電素子は、好ましくは、関与する力を考慮して、この圧電素子がその非線形の範囲内で作動しないように、十分に大きな直径を有するように選択される。さらに、圧力センサ１６は、好ましくは、圧平機１１以外の静的な力を受けない、眼圧計ハウジング３８内に位置する。」
第６　対比・判断
１　本願発明について
（１）対比
　本願発明と引用発明とを対比すると、次のことがいえる。
ア　引用発明の「眼内圧を測定するためのスマート小型圧平式眼圧計」は、本願発明の「眼の眼内圧を測定するための圧平圧力計」に、引用発明の「光源（１）」は、本願発明の「光を生成する光源」に、引用発明の「プローブ（４）」は、本願発明の「前記光源によって生成された光を受ける光伝送体」に、引用発明の「眼球（１５）の角膜に接触」する「プローブ（４）部分の底面」部分は、本願発明の「光伝送体」が「有」する「接触チップ」に相当する。
イ　引用発明の「眼圧計を徐々に下ろし、プローブ（４）の底面の一部を眼球（１５）の角膜に接触させ、且つ眼球（１５）の角膜の所定の面積Ｓを圧平」することは、本願発明の「前記接触チップを移動させて眼の角膜と接触させて圧力を角膜に加える」ことに相当する。
　そして、引用発明の「光源（１）から発せられ」「コリメーションシステム（２）のレンズを通過」した「平行で均一なビーム」のうちの「ビームの他の部分」であって、「プローブ（４）下部の円錐台の側面に照射されるビームであり、一側の表面で全反射され、プローブ（４）下底面に照射され」、「プローブ（４）部分の底面で反射する光線のうちの一部が眼球（１５）内部に屈折入射」する「ビーム」は、本願発明の「前記光伝送体を通して内向きに第１の方向に前記光伝送体の接触チップに向かって伝送され、前記第１の方向に伝送される光の一部は分離されて前記光伝送体から前記接触チップを通って逃げ」る「光源から生成された光」に相当する
　また、同様に引用発明の「光源（１）から発せられ」「コリメーションシステム（２）のレンズを通過」した「平行で均一なビーム」のうちの「ビームの他の部分」であって、「プローブ（４）下部の円錐台の側面に照射されるビームであり、一側の表面で全反射され、プローブ（４）下底面に照射され」、「眼球（１５）内部に屈折入射」すること「によって、その部分の反射光のビームの流束が大幅に減少し」、「底面での第二の反射で相対する他側の表面に照射され、他側の表面でさらに全反射され、再び分光板（３）に照射され」る「ビーム」は、本願発明の「内向きに伝送される光のうち、分離されず前記光伝送体から逃げない残余の光は、前記接触チップによって反射され前記光伝送体を通して外向きに第２の方向に伝送され」る「光源から生成された光」に相当する。
ウ　光バッフルについて　
　引用発明の「遮光部（２３）の」「下の」「面」部分の「孔（２５）」は、「光学的に透明な領域」といえ、「遮光部（２３）の」「下の」「面」の「孔（２５）」の周りは「遮光部」であることから、「光学的に不透明な外縁」といえる。
　そして、引用発明の「光源（１）から発せられる」「ビーム」及び「底面での第二の反射で相対する他側の表面に照射され、他側の表面でさらに全反射され、再び分光板（３）に照射され」る「ビーム」の全てが、「孔（２５）」を通過して伝送されるものである。
　してみれば、引用発明の「光源（１）とプローブ（４）の間に位置している」「上下の相対する２つの面に、２つの孔（２４，２５）が相対して開設され」た「遮光部（２３）」の「下の」「面」部分と、本願発明の「前記光源と前記光伝送体の間に位置」する「光学的に不透明な内部領域と、前記光学的に不透明な内部領域から間隔を隔てて位置し、かつ前記光学的に不透明な内部領域を囲む光学的に不透明な外縁と、前記光学的に不透明な内部領域を囲むために前記光学的に不透明な内部領域から前記光学的に不透明な外縁へと延在する、リング形状の光学的に透明な領域とを有し、前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの前記リング形状の光学的に透明な領域を円周状かつ３６０°全体にわたり通過して伝送されるように」「配置され」た「光バッフル」とは、「前記光源と前記光伝送体の間に位置する光バッフルを備え、前記光バッフルは、光学的に不透明な外縁と、光学的に透明な領域とを有し、前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの光学的に透明な領域を通過して伝送されるように」「配置され」た「光バッフル」の点で共通する。
エ　引用発明の「センサ」と本願発明の「フォトダイオード」とは、センサという上位概念で共通するものである。
　してみれば、引用発明の「底面での第二の反射で相対する他側の表面に照射され、他側の表面でさらに全反射され、再び分光板（３）に照射され」る「ビーム」が「センサ（９）の感光孔に投射され、光電変換器に収集され、アナログデジタル変換器によって収集されたビームの流束に対応するデジタル信号が形成され」、その「ビームの流束」は「一定の数学的関係に基づいて、角膜の圧平面積Ｓの変化によって規則的に変化する」ことと、本願発明の「前記接触チップによって反射され前記光バッフルの前記リング形状の光学的に透明な領域を通して前記第２の方向に伝送される光の強度に応答して出力信号を与えるフォトダイオードを備え、前記フォトダイオードの出力信号は、前記光伝送体の接触チップと前記眼の角膜が接触する面積に応じて決ま」ることとは、「前記接触チップによって反射され前記光バッフルの光学的に透明な領域を通して前記第２の方向に伝送される光の強度に応答して出力信号を与えるセンサを備え、前記センサの出力信号は、前記光伝送体の接触チップと前記眼の角膜が接触する面積に応じて決ま」ることで共通する。
オ　引用発明の「眼圧を測定する時、眼圧計を徐々に下ろし、プローブ（４）の底面の一部を眼球（１５）の角膜に接触させ、且つ眼球（１５）の角膜の所定の面積Ｓを圧平し」、「眼球（１５）にかかる」「プローブ（４）の自重である」「圧力Ｆ」である「信号をタイムリーに検出して、マイクロプロセッサ（１０）に送信することができ」るものは、本願発明の「前記光伝送体の接触チップを移動させて前記眼の角膜と接触させた後に接触領域で生成された圧力に応答して出力信号を与える力検出器」に相当する。
カ　引用発明の「ＦとＳのデータを式Ｐ＝Ｆ／Ｓに代入し、測定された眼球（１５）の眼内圧を算出」する「マイクロプロセッサ（１０）」は、本願発明の「前記フォトダイオードおよび前記力検出器によって与えられた前記出力信号を受け前記出力信号に応じて前記眼の眼内圧の測定値を与える信号処理器」とは、「前記センサおよび前記力検出器によって与えられた前記出力信号を受け前記出力信号に応じて前記眼の眼内圧の測定値を与える信号処理器」の点で共通する。
キ　一致点・相違点
　したがって、本願発明と引用発明との間には、次の一致点、相違点があるといえる。
（一致点）
「眼の眼内圧を測定するための圧平圧力計であって、前記圧平圧力計は、
　光を生成する光源と、
　前記光源によって生成された光を受ける光伝送体とを備え、前記光伝送体は接触チップを有し、前記接触チップを移動させて眼の角膜と接触させて圧力を角膜に加えると、前記光源から生成された光は、前記光伝送体を通して内向きに第１の方向に前記光伝送体の接触チップに向かって伝送され、前記第１の方向に伝送される光の一部は分離されて前記光伝送体から前記接触チップを通って逃げ、内向きに伝送される光のうち、分離されず前記光伝送体から逃げない残余の光は、前記接触チップによって反射され前記光伝送体を通して外向きに第２の方向に伝送され、
　前記光源と前記光伝送体の間に位置する光バッフルを備え、前記光バッフルは、光学的に不透明な外縁と、光学的に透明な領域とを有し、前記光源によって生成され前記光伝送体を通して内向きに前記第１の方向に伝送される光のすべて、および、前記光伝送体の接触チップによって反射され前記光伝送体を通して外向きに前記第２の方向に伝送される光のすべてが、前記光バッフルの光学的に透明な領域を通過して伝送されるように、前記光バッフルが配置され、
　前記接触チップによって反射され前記光バッフルの光学的に透明な領域を通して前記第２の方向に伝送される光の強度に応答して出力信号を与えるセンサを備え、前記センサの出力信号は、前記光伝送体の接触チップと前記眼の角膜が接触する面積に応じて決まり、
　前記光伝送体の接触チップを移動させて前記眼の角膜と接触させた後に接触領域で生成された圧力に応答して出力信号を与える力検出器と、
　前記センサおよび前記力検出器によって与えられた前記出力信号を受け前記出力信号に応じて前記眼の眼内圧の測定値を与える信号処理器とを備える、圧平圧力計。」
（相違点１）
　光バッフルが、本願発明では、「光学的に不透明な内部領域」があり、光学的に不透明な外縁が「前記光学的に不透明な内部領域から間隔を隔てて位置し、かつ前記光学的に不透明な内部領域を囲む」ものであり、光学的に透明な領域が「前記光学的に不透明な内部領域を囲むために前記光学的に不透明な内部領域から前記光学的に不透明な外縁へと延在する、リング形状」であり、第１の方向に伝送される光のすべておよび第２の方向に伝送される光のすべてが、「前記リング形状の」光学的に透明な領域を「円周状かつ３６０°全体にわたり」通過して伝送されるように配置されるものであるのに対し、引用発明では、「下の」「面」部分に「孔（２５）」「が開設され」た「遮光部（２３）」であり、「孔（２５）」には上記「光学的に不透明な内部領域」に相当する部分がないことから、上記のような構成にはならない点。
（相違点２）
　センサが、本願発明では「フォトダイオード」であるが、引用発明のセンサがフォトダイオードであるかどうか不明である点。
（２）相違点についての判断
　相違点１について検討する。
　上記引用文献２には、摘記（２ア）〜（２エ）から、目１４に対する測定本体の正しい方位を固定するランプの機能を有する発光ダイオード２６が設けられている測定本体を支持するサポート２２を有し、そのサポート２２にロッド４がねじ込まれており、そのロッドは、所定の力を測定本体に加えるリニアモータ５の一部となっている圧平形眼圧計が記載されている。そして、第４図のサポート２２に注目すると、矢印付きの線で表された光線の通過する以外の部分に斜線が引かれているのが一応見てとれる。
　しかしながら、「サポート２２」は、図面で斜線が引かれている部分に遮光性があるにせよ、遮光用に設けられた部材ではなく、「サポート２２」の機能は、「ロッド４」がねじ込まれ、「測定本体２」を支持するための支持（サポート）部材であるから、「サポート２２」と「測定本体２」を分離して、別々の構成として扱うことはできない。
　してみれば、引用発明の「遮光部（２３）」の「下の」「面」の「孔（２５）」「が開設され」た部分に、引用文献２に記載の上記「サポート２２」のみを配置する動機付けはない。
　むしろ、引用発明は、「光源（１）から発せられ」「コリメーションシステム（２）のレンズを通過」した「平行で均一なビーム」のうちの「ビームの一部はプローブ（４）底面に直接照射されるビームであり、プローブ（４）を貫通し、位置特定ポインタ（１２）となり、角膜の中心の位置を特定し、また測定対象の眼の視線を集中させるために用いられ、それによって、眼軸と主光軸を一致させ、且つプローブ（４）の底面と垂直になるようにすることができる」ものであるから、引用発明の「遮光部（２３）」の「下の」「面」の「孔（２５）」「が開設され」た部分に、引用文献２に記載の上記「サポート２２」のみを配置しては、上記機能を発揮する「位置特定ポインタ（１２）」である「ビームの一部」が遮蔽されることになるから、「サポート２２」のみを配置することには阻害要因がある。
　さらに付言するなら、「サポート２２」のみを配置するのではなく、引用文献２のように「測定本体２」を支持した「サポート２２」を配置すると、「目１４に対する測定本体の正しい方位を固定するランプの機能を有する発光ダイオード２６」が、上記引用発明の「位置特定ポインタ（１２）」の機能を発揮するということにもなろうが、そもそも、引用発明の目的は、装置全体をコンパクト構造で設計する（摘記（１イ）参照）ことであるから、構成部品が増えるような、「測定本体２」を支持した「サポート２２」を配置することには阻害要因がある。
　よって、上記相違点１は、上記引用文献２の記載事項を考慮しても、当業者が容易になし得たものではない。
（３）まとめ
  したがって、上記相違点２について判断するまでもなく、本願発明は、当業者であっても、引用発明及び引用文献２に記載された技術的事項に基づいて容易に発明できたものであるとはいえない。
２　請求項２〜９に係る発明について
　請求項２〜９に係る発明は、いずれも本願発明を引用するものであり、上記相違点１に係る構成を備えるものであるから、本願発明と同じ理由により、当業者であっても、引用発明及び引用文献２に記載された技術的事項に基づいて容易に発明できたものとはいえず、さらに、上記引用文献３の記載事項を考慮しても、容易に発明できたものとはいえない。
第７　原査定について
　本願請求項１〜９に係る発明は、当業者が、拒絶査定において引用された引用文献１〜３に基づいて、容易に発明できたものとはいえないことから、上記第２の原査定の概要で記載した原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。